(57)【要約】【課題】有機ハロゲン化物等の有害物質等の廃棄物又は薬品の保管・廃棄状況を一元管理する廃棄物等管理システムを提供することを課題とする。【解決手段】各種廃棄物又は薬品１１の保管場所及び保管履歴を管理する管理センター１２と、上記管理された各種廃棄物又は薬品履歴を電子化して記録する履歴情報記憶手段１３と、廃棄物保管者１４側に設置され、保管又は処理状況を管理センターに届ける入力端末１５と、管理センター１２からの依頼により廃棄物又は薬品を処理する処理業者１６と、処理業者１６側に設置され、処理状況を管理センター１２に届ける入力端末１７とを具備し、廃棄物又は薬品１１の保管から処理までの薬品の管理を履歴情報記憶手段１３において一元処理する。【選択図】　　　　図１
2004099287.tif 000002
【特許請求の範囲】
【請求項１】
各種廃棄物又は薬品の保管場所及び保管履歴を管理する管理センターと、
上記管理された各種廃棄物又は薬品履歴を電子化して記録する履歴情報記憶手段と、
廃棄物保管者側に設置され、保管又は処理状況を管理センターに届ける入力端末と、
管理センターからの依頼により廃棄物又は薬品を処理する処理業者と、
処理業者側に設置され、処理状況を管理センターに届ける入力端末と
を具備し、廃棄物の保管から処理までの薬品の管理を履歴情報記憶手段において一元処理する
ことを特徴とする廃棄物等管理システム。
【請求項２】
請求項１において、
上記管理センターと、各種廃棄物又は薬品の保管者と処理業者とがネットワークで相互に接続されている
ことを特徴とする廃棄物等管理システム。
【請求項３】
請求項１又は２において、
行政機関に対しての認可申請及び許可等の代行を管理センターが行う
ことを特徴とする廃棄物等管理システム。
【請求項４】
請求項１乃至３のいずれか一において、
薬品分析機関に対しての薬品の分析依頼を管理センターが行う
ことを特徴とする廃棄物等管理システム。
【請求項５】
請求項１乃至４のいずれか一において、
廃棄物が有機ハロゲン化物である
ことを特徴とする廃棄物等管理システム。
【発明の詳細な説明】
【０００１】
【発明の属する技術分野】
本発明は、例えば有機ハロゲン化物等の有害物質等の廃棄物又は薬品の保管・廃棄状況を一元管理する廃棄物等管理システムに関する。
【０００２】
【従来の技術】
近年では、ＰＣＢ（Ｐｏｌｙｃｈｌｏｒｉｎａｔｅｄ　ｂｉｐｈｅｎｙｌ，　ポリ塩化ビフェニル：ビフェニルの塩素化異性体の総称）が強い毒性を有することから、その製造および輸入が禁止されている。このＰＣＢは、１９５４年頃から国内で製造開始されたものの、カネミ油症事件をきっかけに生体・環境への悪影響が明らかになり、１９７２年に行政指導により製造中止、回収の指示（保管の義務）が出された経緯がある。
【０００３】
ＰＣＢは、ビフェニル骨格に塩素が１〜１０個置換したものであり、置換塩素の数や位置によって理論的に２０９種類の異性体が存在し、現在、市販のＰＣＢ製品において約１００種類以上の異性体が確認されている。また、この異性体間の物理・化学的性質や生体内安定性および環境動体が多様であるため、ＰＣＢの化学分析や環境汚染の様式を複雑にしているのが現状である。さらに、ＰＣＢは、残留性有機汚染物質のひとつであって、環境中で分解されにくく、脂溶性で生物濃縮率が高く、さらに半揮発性で大気経由の移動が可能であるという性質を持つ。また、水や生物等環境中に広く残留することが報告されている。
このＰＣＢは平成４（１９９７）年に廃ＰＣＢ、ＰＣＢを含む廃油、ＰＣＢ汚染物が廃棄物の処理及び清掃に関する法律に基づく特別管理廃棄物に指定され、さらに、平成９（１９９７）年にはＰＣＢ汚染物として木くず、繊維くずが、追加指定された。
【０００４】
ＰＣＢ処理物となる電気機器としては、高圧トランス、高圧コンデンサ、低圧トランス・コンデンサ、柱上トランス等があり、廃ＰＣＢ等としては、熱媒体に用いたものや絶縁油として用いたもの、また、これらの洗浄に用いた灯油等があり、廃感圧紙としては、ノーカーボン紙に使用されたカプセルオイルがあり、さらに、これらのＰＣＢの使用又は熱媒の交換、絶縁油の再生、漏洩物の浄化、ＰＣＢ含有物の処理等の際に用いられた活性炭や、廃白土、廃ウェス類、作業衣等のＰＣＢ汚染物がある。
現在これらは厳重に保管がなされているが、早急なＰＣＢの処理が望まれている。
【０００５】
また、ＰＣＢを保存していた容器や処理等の際に用いられた活性炭や、廃白土、廃ウェス類、作業衣等のＰＣＢ汚染物は、ＰＣＢとは別途の処理をする必要があり、ＰＣＢ汚染物の完全処理を図ることが必要となる。
【０００６】
このような問題はＰＣＢ等に限定されるものではなく、近年問題とされている残留性有機汚染物（Ｐｅｒｓｉｓｔｅｎｔ　Ｏｒｇａｎｉｃ　Ｐｏｌｌｕｔａｎｔｓ：ＰＯＰｓ）の処理においても同様な問題がある。
すなわち、残留性汚染物として認定された後には、使用が中止されるが、市場に出た商品（例えば農薬等）は各保管場所において、保管されているが、その廃棄処理が問題となる。
【０００７】
特に、ＰＯＰｓ（Ｐｅｒｓｉｓｔｅｎｔ　Ｏｒｇａｎｉｃ　Ｐｏｌｌｕｔａｎｔｓ：残留性有機汚染物質）については、地球規模の汚染を防止するため、平成１３年５月２２日にストックホルム条約が採択され、我が国としても早期締結に向けた国内体制の整備が重要な課題となっている。
【０００８】
また、薬品の廃棄処理にはその薬品の種類によっては法律で規定されているものがあり、むやみに投棄できず、やむなくそのまま保管するという問題もある。この結果、その保管スペースの確保にも限られており、効率的な廃棄処理が必要となる。
【０００９】
また、例えば農薬等の農業従事者で保管されている場合には、使用禁止となった農薬等の薬品の処理ができずに、そのまま保管されている実情があり、このような使用禁止薬品の効率的な処理が望まれる。
【００１０】
また、廃棄する薬品によっては、運搬に際して行政機関への届出が必要となる場合があり、その薬品処理の手続が煩雑となるという問題がある。
【００１１】
さらに、近年においては、ＰＲＴＲ（Ｐｏｌｌｕｔａｎｔ　Ｒｅｌｅａｓｅ　ａｎｄ　Ｔｒａｎｓｆｅｒ　Ｒｅｇｉｓｔｅｒ：環境汚染物質排出移動登録）　制度が確立され、有害性を有する多種多様な化学物質がどのような発生源から、どれくらい環境中に排出されたか、或いは廃棄物に含まれて事業所の外に運び出されたか、というデータを把握・集計・公表するために、各事業所からの化学物質の排出量、移動量の行政（　都道府県を経由して国）　への届出が必要となり、そのために各事業者においての薬品のデータベースの作成作業が必要となっている。
【００１２】
しかしながら、対象物質である第１種指定化学物質（政令では３５４物質が指定）の各薬品製造・販売業者でのＭＳＤＳ（Ｍａｔｅｒｉａｌ　Ｓａｆｅｔｙ　Ｄａｔａ　Ｓｈｅｅｔ：　化学物質等安全データシート）　の作成は種々の様式であり、それを常に入手し、また移動に際しては、添付することが義務付けられているので、有害廃棄物や薬品の管理が煩雑になるという、問題もある。
【００１３】
【特許文献１】
特開２００２−１２６０４４号公報
【００１４】
【発明が解決しようとする課題】
このような問題に鑑み、本発明では、ＰＣＢ等の有害廃棄物や薬品等の保管から処理までを一元化して管理することのできる廃棄物等管理システムを提供することを目的とする。
【００１５】
【課題を解決するための手段】
前述した課題を解決する第１の発明は、各種廃棄物又は薬品の保管場所及び保管履歴を管理する管理センターと、上記管理された各種廃棄物又は薬品履歴を電子化して記録する履歴情報記憶手段と、廃棄物保管者側に設置され、保管又は処理状況を管理センターに届ける入力端末と、管理センターからの依頼により廃棄物又は薬品を処理する処理業者と、処理業者側に設置され、処理状況を管理センターに届ける入力端末とを具備し、廃棄物の保管から処理までの薬品の管理を履歴情報記憶手段において一元処理することを特徴とする廃棄物等管理システムにある。
【００１６】
第２の発明は、第１の発明において、上記管理センターと、各種廃棄物又は薬品の保管者と処理業者とがネットワークで相互に接続されていることを特徴とする廃棄物等管理システムにある。
【００１７】
第３の発明は、第１又は２の発明において、行政機関に対しての認可申請及び許可等の代行を管理センターが行うことを特徴とする廃棄物等管理システムにある。
【００１８】
第４の発明は、第１乃至３のいずれか一の発明において、薬品分析機関に対しての薬品の分析依頼を管理センターが行うことを特徴とする廃棄物等管理システムにある。
【００１９】
第５の発明は、第１乃至４のいずれか一の発明において、廃棄物が有機ハロゲン化物であることを特徴とする廃棄物等管理システムにある。
【００２０】
【発明の実施の形態】
本発明による廃棄物等管理システムの実施の形態を以下に説明するが、本発明はこれらの実施の形態に限定されるものではない。
【００２１】
［第１の実施の形態］
図１は本実施の形態にかかる廃棄物等管理システムの概略図を示す。
図２は処理システム概略図である。
【００２２】
図１及び図２に示すように、本実施の形態にかかる廃棄物等管理システムは、各種廃棄物又は薬品１１の保管場所及び保管履歴を管理する管理センター１２と、上記管理された各種廃棄物又は薬品履歴を電子化して記録する履歴情報記憶手段１３と、廃棄物保管者１４側に設置され、保管又は処理状況を管理センターに届ける入力端末１５と、管理センター１２からの依頼により廃棄物又は薬品を処理する処理業者１６と、処理業者１６側に設置され、処理状況を管理センター１２に届ける入力端末１７とを具備し、廃棄物又は薬品１１の保管から処理までの薬品の管理を履歴情報記憶手段１３において一元処理するものである。
【００２３】
ここで、図１に示すように、本実施の形態にかかるネットワーク結線システムは、インターネット通信等の通信網（以下「ＮＥＴ：インターネット網」を代表して説明する）１００を経由して、管理センター１２のウェブ（Ｗｅｂ）サイトと廃棄物保管者１４の入力端末１５と処理業者１６の入力端末１７とが結ばれている状態を示している。
【００２４】
上記入力端末１５等は、各保管者１４Ａ…からインターネットに接続する際に用いるものであり、例えばパーソナルコンピュータ（パソコン）、携帯情報端末（ＰＤＡ，携帯電話等）をいい、その種類や、数はともに限定されるものではない。なお、入力端末１５、１７には表示手段１５ａ、１７ａが備えられており、入力情報及び各種データ情報を確認することができる。
【００２５】
上記管理センター１２は、廃棄物又は薬品の処理等のサービスを提供するサーバを有している。なお、このサーバーは別の場所にあってもよい。
【００２６】
上記入力端末１５，１７は例えば電話回線等でインターネット網１００へ接続され、管理センター１２のウェブサイトへのアクセス要求３１及びウェブサイトからのデータ送出３２が行われている。
【００２７】
本発明にかかる管理センター１２のサーバは、電話線又は専用線などによりインターネット網１００へ接続されている。
【００２８】
ここで、廃棄物としてＰＣＢを廃棄処理する場合について説明する。
この管理システムには必要に応じてメンバー登録をするようにしてもよく、その際には予め及び購入と同時にメンバー登録することでこのシステムを利用することができる。
各事業所では、事業所単位或いは全社単位でメンバー登録することで、ＰＲＴＲ法に対応する届出に必要な情報の一元管理も依頼することができる。
【００２９】
図３は処理依頼時の入力側の表示画面の状態図の一例である。
図２及び図３に示すように、先ず、保管者入者１４Ａは管理センター１２にアクセスし、種々のコンテンツから例えばＰＣＢの処理依頼を選択する。
そして、「ＰＣＢ」を選択すると、図３に示す画面が表示され、これに所定の必要事項を入力する。　必要事項とは、ＰＣＢの処理を依頼する事業所名（ＸＹＺ会社○○工場）、処理依頼日（２００２年０６月２０日）、処理薬品（ＰＣＢ）、処理量（１００ｋｇ）、保管場所（第１倉庫）等である。なお、必要に応じてその他の所定の情報（例えば破棄物の保存状態等）を入力するようにしてもよい。これにより依頼時の情報が履歴情報記憶手段（以下「ＤＢ」という）１３に保存されることになる。
【００３０】
なお、この一元管理される情報は事業所単位で薬品履歴情報記憶手段１３にアクセスすることができるようにしており、その際にパスワードが要求され、セキュリティーを図っている。
【００３１】
上記処理依頼があった管理センター１２においては、特定の契約する処理会社１７に発注して、見積もりを出して処理依頼をする。
この際、薬品運送会社２３にも薬品の配送があることが知らされる。
【００３２】
また、このような廃棄物又は薬品の処理においては、管理センター１２側において、廃棄物又は薬品の処理依頼をストックをして、所定の処理量に達してから効率よく処理業者１６に処理することもできる。
【００３３】
ここで、管理センター１２のホームページにおいて、処理の自動入札をするようにし複数の処理業者１７Ａ，１７Ｂ…における自由競争に委ねることもできる。
【００３４】
また、この購入の際に、行政機関２０に対しての認可申請及び許可の代行を管理センター１２が行うようにしてもよい。この場合には、予め保管者１４と管理センター１２とが別途委任契約等をしておく必要な場合もある。
【００３５】
また、廃棄物の状態により、処理方法が異なる場合には、その情報も履歴情報記憶手段１３に入力するようにしている。
例えばＰＣＢの場合には、ＰＣＢ濃度が高濃度と低濃度の場合では、処理方法においては、処理できる場合とできない場合がある。
また、農薬類の処理、含水物の処理、紙・木等の処理、汚染樹脂容器の処理の場合等処理の適、不適がある。
この一例を「表１」に示す。
【００３６】
【表１】
2004099287.tif 000003
【００３７】
次に、廃棄物又は薬品の廃棄処理について説明する。
【００３８】
図４は廃棄薬品処理終了時の入力側の表示画面の状態図の一例である。
管理センター１２から処理の依頼があった処理業者１６Ａは廃棄物又は薬品の保管者１４Ａにアクセスし、廃棄物の搬出日を打ち合わせ、廃棄依頼を完了する。
【００３９】
この際、薬品運送会社２３にも廃棄物の輸送があることが知らされる。
【００４０】
このような廃棄物又は薬品の処理においては、処理業者１７側において、廃棄薬品のストックをして、所定の処理量に達してから効率よく処理することもできる。
【００４１】
また、この処理において、廃棄薬品を移動する場合に、管理センター１２側で行政２０側への届出も行うようにしている。
【００４２】
また、処理に先立ち管理センター１２又は保管者１４の依頼により、不明廃棄物又は薬品等の分析依頼を薬品分析機関２１に対して行うようにしてもよい。
特に、使用期限が過ぎた薬品や試薬、及び農家において使用禁止となった薬品やラベルの禿げた薬品の性状等について分析を依頼するようにしてもよい。
【００４３】
現在使用禁止となった薬品が研究所の薬品倉庫や農家等の備蓄されているが、このまま放置しておけば、容器等の破裂により汚染が発生することも想定される。このシステムを構築することで、薬品の処理の依頼の前提としてどのような処理が必要であるかを認識して、劇物や特定化学物質に認定されている場合には、適切な処理を行うことができる。
【００４４】
また、この使用期限の過ぎた薬品な内容不明な薬品等を薬品分析機関２１で分析することで、現在では入手不可能な試薬や製造中止の薬品を化学実験、化学分析や臨床検査等のための標準物質用として保管することもできる。
【００４５】
購入薬品又は廃棄薬品が環境汚染物質排出移動登録法に定める化学物質である場合には管理センター１２では、取扱する化学物質等安全データシート（ＭＳＤＳ）の作成及び提供を行う。
ここで、ＰＲＴＲ法（Ｐｏｌｌｕｔａｎｔ　Ｒｅｌｅａｓｅ　ａｎｄ　Ｔｒａｎｓｆｅｒ　Ｒｅｇｉｓｔｅｒ：環境汚染物質排出移動登録）　とは、有害性を有する多種多様な化学物質の環境への排出量を把握することなどにより、化学物質を取り扱う事業者の自主的な化学物質の管理の改善を促進し、化学物質による環境の保全上の支障が生ずることを未然に防止することを目的として制定された「特定化学物質の環境への排出量の把握及び管理の改善の促進に関する法律」（１９９９（平成１１）年７月１３日公布）である。
【００４６】
このように事業者による排出を一元管理する本システムにおいては、購入から使用状況及び廃棄までの完全管理を行っているので、上記ＰＲＴＲ法の趣旨に基づくシステムを構築するものである。
【００４７】
すなわち、各事業所からの化学物質の排出量、移動量の行政（　都道府県を経由して国）　への届出が必要となるが、その届出を管理センター１２において薬品履歴の情報を一元管理しているので、当該データーベースを基に、県へ定期的に提出することが可能となる。
【００４８】
また、現時点においては、ＰＲＴＲ法に定める化学物質の取扱量が１ｔ以上（発癌性物質では０．５ｔ以上）ではあるが、将来的に少量の取扱においても届出が必要となる場合には、このシステムにおいて薬品を管理することで、外部委託による薬品管理を行うことにより、薬品排出事業所内において新たな人員を含めた設備投資が不要となる。
【００４９】
また、ＭＳＤＳ（Ｍａｔｅｒｉａｌ　Ｓａｆｅｔｙ　Ｄａｔａ　Ｓｈｅｅｔ：　化学物質等安全データシート）　の改定及び新規物質の追加等があった場合においても、更新したデータを常に薬品購入者が入手することができ、最新情報を基に薬品を安全に取り扱うことができる。
【００５０】
【発明の効果】
以上の説明したように、本発明によれば、各種廃棄物又は薬品の保管場所及び保管履歴を管理する管理センターと、上記管理された各種廃棄物又は薬品履歴を電子化して記録する履歴情報記憶手段と、廃棄物保管者側に設置され、保管又は処理状況を管理センターに届ける入力端末と、管理センターからの依頼により廃棄物又は薬品を処理する処理業者と、処理業者側に設置され、処理状況を管理センターに届ける入力端末とを具備し、廃棄物の保管から処理までの薬品の管理を履歴情報記憶手段において一元処理するので、廃棄物の保管から廃棄まで一元管理することができる。
【００５１】
また、廃棄物の排出を一元管理することになるので、行政側への届出も一元化でき、手続効率が向上する。
【００５２】
また、廃棄物の不正廃棄等が一切なくなり、管理が万全となる。
【図面の簡単な説明】
【図１】本実施の形態にかかる廃棄物等管理システム概略図である。
【図２】処理システム概略図である。
【図３】処理依頼時の画面の一例を示す図面である。
【図４】処理終了時の画面の一例を示す図面である。
【符号の説明】
１１　廃棄物又は薬品
１２　管理センター
１３　履歴情報記憶手段
１４　廃棄物保管者
１５　入力端末
１６　処理業者
１７　入力端末
１５ａ、１７ａ　表示手段
２０　行政
２１　薬品分析機関
２３　運送会社
【図１】
2004099287.tif 000004
【図２】
2004099287.tif 000005
【図３】
2004099287.tif 000006
【図４】
2004099287.tif 000007